(57)【特許請求の範囲】
【請求項１】
被写体像を結像させる撮影光学系を有してなる撮影レンズユニットと、
上記撮影光学系により結像される被写体像を受けて電気的な画像信号に光電変換する第１の撮像素子を有する動画用の第１の撮像手段と、
上記撮影光学系により結像される被写体像を受けて電気的な画像信号に光電変換する撮像素子であって、上記第１の撮像素子よりも多い画素数からなる第２の撮像素子を有する静止画用の第２の撮像手段と、
上記第１の撮像手段の出力信号を受けて動画像データを生成し、記録媒体に記録する動画用の第１の記録手段と、
上記第２の撮像手段の出力信号を受けて静止画像データを生成し、記録媒体に記録する静止画用の第２の記録手段と、
上記第１の記録手段と上記第２の記録手段とをそれぞれ単独に又は同時に制御する記録制御手段と、
被写体に向けて所定の補助光を照射する補助光発光装置による発光動作を制御する補助光制御手段と、
を具備し、
上記補助光制御手段は、上記第１の記録手段によって行なわれる動画像データの記録動作の実行中に、これと並行して上記第２の記録手段による静止画像データの記録動作を実行する場合において、補助光発光装置による補助光の発光動作を伴なうときには、上記第１の撮像素子の動作が非露光期間にあるときに所定の補助光を発光させるように制御することを特徴とする電子カメラ。
【請求項２】
上記補助光制御手段は、補助光の発光量を決定するために撮影動作に先立って予め行なわれる予備発光動作を上記第１の撮像素子の動作が非露光期間にあるときに行なうよう上記補助光発光装置を制御することを特徴とする請求項１に記載の電子カメラ。
【請求項３】
上記補助光制御手段は、上記第１の撮像素子の動作が非露光期間中であって露光動作後の読出し動作中に上記所定の補助光を発光させるように制御することを特徴とする請求項１に記載の電子カメラ。
【発明の詳細な説明】
【０００１】
【発明の属する技術分野】
この発明は、電子カメラ、詳しくは撮影光学系により結像される被写体像を撮像素子を利用して光電変換し、動画像及び／又は静止画像を表わす画像データを生成すると共に記録媒体に記録するように構成された電子カメラに関するものである。
【０００２】
【従来の技術】
近年、撮影レンズ等の撮影光学系によって結像される被写体像をＣＣＤ（Ｃharge Ｃoupled Ｄevice；電荷結合素子）等からなる撮像素子を利用して電気信号に光電変換し、これにより得られた電気的な画像信号をデジタルデータ等の画像データとして記録媒体等に記録し得るように構成されたデジタルスチルカメラやデジタルビデオカメラ等（以下、単に電子カメラという）が広く普及している。
【０００３】
このような従来の電子カメラにおいては、動画像を表わす画像データを記録媒体に記録し得ると共に、静止画像を表わす画像データをも記録媒体に記録し得るように構成したものが、例えば特開平７−２８４００５号公報等によって種々の提案がなされて、また実用化されている。
【０００４】
上記特開平７−２８４００５号公報によって開示されている電子カメラは、撮影光学系により結像された被写体像を光電変換する撮像素子を一つ備え、この単一の撮像素子を用いて生成された画像信号に基づいて動画像を表わす画像データ（以下、動画像データともいう）と静止画像を表わす画像データ（以下、静止画像データともいう）とを同時に生成し、これらの画像データを所定の記録媒体に記録するようにしている。そして、動画像データを生成するための画像信号を扱う動画像専用記録系と、静止画像データを生成するための画像信号を扱う静止画像専用記録系とをそれぞれ独立させて設けることにより、動画像データ及び静止画像データとを同時に記録することができるようにしたものである。
【０００５】
一方、主に静止画像データを扱う従来の電子カメラ（デジタルスチルカメラ等）においては、主に静止画像データを記録する際の撮影環境が低照度である場合等に補助的な照明光を被写体に向けて照射するための補助光発光装置であるいわゆるストロボ装置等を有して構成されているものが一般的に実用化されている。
【０００６】
他方、撮影環境が低照度である等の理由から補助的な照明光が必要となる環境下において動画像データの撮影記録を行なう場合には、従来では、長時間継続して安定した照明光を照射することのできる、いわゆるビデオライト等を利用するのが普通である。
【０００７】
【発明が解決しようとする課題】
ところが、通常のストロボ装置は、電気的に生成した閃光を瞬間的に発光させるようにしたものが普通であるので、安定した照明光を長時間継続して照射させることはできないものである。
【０００８】
したがって、上記特開平７−２８４００５号公報等によって開示されているような形態の電子カメラ等、即ち動画像と静止画像とを同一の撮影光学系を利用して同時に撮影記録し得るように構成したものでは、動画像データの撮影記録動作を実行中に静止画像データの撮影記録動作を並行させて実行するときに、ストロボ装置による発光動作を伴う場合、その補助光は、同時に並行して記録動作が実行され記録されるべき動画像データに影響を及ぼす虞がある。
【０００９】
具体的には、ストロボ装置による補助光が照射された場合には、その瞬間だけ、補助光の照射範囲、即ち被写体を含む撮影範囲における露出値やホワイトバランス等の情報が大幅に変化してしまうことになる。
【００１０】
このときのストロボ装置による補助光は、その補助光の発光動作を伴う静止画像データの撮影記録動作によって得られる静止画像データに最適な光量となるような調整がなされている。したがって、これにより得られる静止画像としては、良好な結果を得ることができることになる。
【００１１】
しかし、その反面、同時に並行して記録動作が実行されている動画像データの撮影結果については、ストロボ装置による補助光が発光されたその瞬間に相当する数フレーム分の画像データは、露出や色バランスが崩れた画像となってしまうことになる。したがって、このような状況下においては、良好な撮影結果を得ることができないという問題点がある。
【００１２】
なお、上述の特開平７ー２８４００５号公報に開示されている電子カメラでは、撮影記録時にストロボ装置等を利用することについては、何ら考慮されておらず、またそれに関する記載もなされていない。
【００１３】
本発明は、上述した点に鑑みてなされたものであって、その目的とするところは、動画像データと静止画像データとを同時に並行して撮影記録し得るようにした電子カメラであって、動画像データの撮影記録動作を実行中に補助光発光装置による補助光の発光動作を伴う静止画像データの撮影記録動作を実行する際に、記録される動画像データに対する補助光発光装置の補助光の影響を抑止し、より良好な撮影結果を取得することのできる電子カメラを提供することである。
【００１４】
【課題を解決するための手段】
上記目的を達成するために、第１の発明による電子カメラは、被写体像を結像させる撮影光学系を有してなる撮影レンズユニットと、上記撮影光学系により結像される被写体像を受けて電気的な画像信号に光電変換する第１の撮像素子を有する動画用の第１の撮像手段と、上記撮影光学系により結像される被写体像を受けて電気的な画像信号に光電変換する撮像素子であって、上記第１の撮像素子よりも多い画素数からなる第２の撮像素子を有する静止画用の第２の撮像手段と、上記第１の撮像手段の出力信号を受けて動画像データを生成し、記録媒体に記録する動画用の第１の記録手段と、上記第２の撮像手段の出力信号を受けて静止画像データを生成し、記録媒体に記録する静止画用の第２の記録手段と、上記第１の記録手段と上記第２の記録手段とをそれぞれ単独に又は同時に制御する記録制御手段と、被写体に向けて所定の補助光を照射する補助光発光装置による発光動作を制御する補助光制御手段と、を具備し、上記補助光制御手段は、上記第１の記録手段によって行なわれる動画像データの記録動作の実行中に、これと並行して上記第２の記録手段による静止画像データの記録動作を実行する場合において、補助光発光装置による補助光の発光動作を伴なうときには、上記第１の撮像素子の動作が非露光期間にあるときに所定の補助光を発光させるように制御することを特徴とする。
【００１５】
第２の発明は、第１の発明による電子カメラにおいて、上記補助光制御手段は、補助光の発光量を決定するために撮影動作に先立って予め行なわれる予備発光動作を上記第１の撮像素子の動作が非露光期間にあるときに行なうよう上記補助光発光装置を制御することを特徴とする。
第３の発明は、第１の発明による電子カメラにおいて、上記補助光制御手段は、上記第１の撮像素子の動作が非露光期間中であって露光動作後の読出し動作中に上記所定の補助光を発光させるように制御することを特徴とする。
【００１６】
【発明の実施の形態】
以下、図示の実施の形態によって本発明を説明する。
図１・図２は、本発明の一実施形態の電子カメラの内部構成を示すブロック構成図であって、図１は前半部を、図２は後半部を示している。
【００１７】
図１・図２に示すように、本電子カメラ１は、所望の被写体像を光学的な手段（光学系）で結像させ、これにより結像された被写体像を電気的な信号に光電変換する撮像系を構成するブロックと、被写体からの光束（以下、被写体光束という）を受けて焦点検出動作や測光動作を行なってＡＦ処理やＡＥ処理等を行なうＡＦ系・ＡＥ系を構成するブロックと、光学系及び撮像系によって得られた画像信号に対して所定の処理を施して、記録処理や再生処理等を行なう信号処理系を構成するブロックと、電源に関する構成部材等からなる電源系のブロック等によって構成されており、本電子カメラ１を構成する全ての電気回路は、制御手段である制御回路６１によって制御されるようになっている。
【００１８】
本電子カメラ１における光学系及び撮像系・ＡＦ系・ＡＥ系等からなる前半部のブロック（図１参照）は、以下のように構成される。
即ち、本電子カメラ１の前半部は、被写体光束を集光し被写体像を結像させ得る光学系である撮影光学系及びこの撮影光学系を構成する各部材を駆動する各種の駆動部材及び駆動手段等からなる撮影レンズユニット１５と、撮影光学系により結像される被写体像を光電変換し主に動画像を表わす画像信号を取得する第１の撮像手段５５と、同様に被写体像を光電変換し主に静止画像を表わす画像信号を取得する第２の撮像手段３０と、撮影光学系により結像される被写体像の焦点位置を検出し合焦動作等を行なうＡＦ系を構成するＡＦユニット５４と、撮影光学系を透過した被写体光束に基づいて所望の被写体について測光動作を行なうＡＥ系を構成するＡＥユニット２３と、所望の被写体像を光学的に観察するために例えば対物及び接眼レンズ等からなる観察光学系により構成される光学ファインダーユニット７３と、撮影光学系を透過した被写体光束を分割し第１の撮像手段５５及び第２の撮像手段３０の双方に導く光束分割手段である第１ミラー１６と、この第１ミラー１６により第１の撮像手段５５の側へと導かれた被写体光束の光路を折り曲げてその照射方向を変更する第２ミラー１７と、この第２ミラー１７からの被写体光束の一部をＡＦユニット５４の側へと導くと共に他の一部を透過させる第３ミラー１８と、この第３ミラー１８を透過した被写体光束を分割し第１の撮像手段５５の側とＡＥユニット２３及び光学ファインダーユニット７３の側の双方に導くファインダー光束分割手段である第４ミラー１９と、第２ミラー１７及び第３ミラー１８の間にあって被写体光束の光路上に固設され被写体像を拡大するレンズ等からなる拡大リレー光学系７１等の各構成部材からなり、これらの各構成部材が本電子カメラ１の内部において、それぞれ所定の位置に配置されている。
【００１９】
撮影レンズユニット１５は、撮影光学系を構成する各種の光学レンズ、即ち変倍光学系であるズームレンズ群１２や合焦光学系（ＡＦ光学系）であるＡＦレンズ群１４等と、撮影光学系により集光される被写体光束の光量を制限する光量制限手段である絞り部１３と、ズームレンズ群１２を撮影光学系の光軸Ｏに沿う方向に移動させるズームモータ２４と、ＡＦレンズ群１４を撮影光学系の光軸Ｏに沿う方向に移動させる合焦駆動手段であるＡＦモータ２６と、絞り部１３を駆動する絞りアクチュエータ２５等によって構成されている。
【００２０】
なお、ズームモータ２４・絞りアクチュエータ２５・ＡＦモータ２６は、制御回路６１（図２参照）からの指令を受けて制御される駆動手段である駆動回路６２によって制御されるようになっている。
【００２１】
第１ミラー１６は、被写体光束の光路上において、撮影光学系の光軸Ｏに対して角度略４５度の傾斜を有して固設された半透過ミラー（以下、ハーフミラーという）により形成されている。そして、その反射面は、被写体光束を第１の撮像手段５５の側に向けて被写体光束の一部を導き得るように配置されている。
【００２２】
したがって第１ミラー１６は、被写体光束の光路上にあって、撮影光学系を透過した被写体光束を二分割し、一方の光束を透過させて直進させることにより第２の撮像手段３０へと導くと同時に、他方の光束を角度略９０度折曲げて第２ミラー１７に向けて照射することで第１の撮像手段５５の側へと導くようにする光束分割手段の役目をしている。
【００２３】
第２ミラー１７は、第１ミラー１６によって角度略９０度折り曲げられた被写体光束の光路上に配置され、同光束の光軸Ｏに対して角度略４５度の傾斜を有するように固設された全反射ミラーにより構成されている。したがって、この第２ミラー１７は、第１ミラー１６により角度略９０度折り曲げられた被写体光束を、さらに角度略９０度折り曲げて第３ミラー１８に向けて被写体光束を導くようになっている。
【００２４】
第３ミラー１８は、第２ミラー１７によってさらに角度略９０度折り曲げられた被写体光束の光路上に配置され、同光束の光軸Ｏに対して角度略４５度の傾斜を有するように固設されたハーフミラー等により構成されている。したがって、この第３ミラー１８は、被写体光束の一部を反射させることで同光束の光路を角度略９０度折り曲げてＡＦユニット５４側へと導くと同時に、他の一部を透過させて第４ミラー１９及びＡＥユニット２３や光学ファインダーユニット７３の側へと導くように構成されている。
【００２５】
第４ミラー１９は、第３ミラー１８を透過した被写体光束の光路上に配置され、同光束の光軸Ｏに対して角度略４５度の傾斜を有するように固設されたハーフミラー等により構成されている。したがって、第４ミラー１９は、被写体光束の一部を反射して、その光路を角略度９０度折り曲げて第１の撮像手段５５へと導くと同時に、同光束の他の一部を透過させてＡＥユニット２３及び光学ファインダーユニット７３へと導くようになっている。
【００２６】
第４ミラー１９と光学ファインダーユニット７３の間における被写体光束の光路上には、光学ファインダーユニット７３により観察し得る被写体像の合焦状態を確認し得るようにするためのフォーカシングスクリーン２０が配置されている。このフォーカシングスクリーン２０は、一般的な一眼レフレックスカメラ等に適用されているものと同様のものであって、例えばすりガラス状のマット面を有する板状の光学部材からなるものである。
【００２７】
一方、第２の撮像手段３０は、撮影光学系及び第１ミラー１６を透過した被写体光束によって結像される被写体像を受けて、これを光電変換処理する光電変換素子であって、比較的多画素タイプの電荷結合素子（Ｃharge Ｃoupled Ｄevice；ＣＣＤ）等からなる第２の撮像素子２８と、撮影光学系を透過した被写体光束のうち第２の撮像素子２８が受光する光束から高周波成分を取り除くローパスフイルター（ＬＰＦ）８２と、同光束から赤外光成分を取り除くためのＩＲカットフィルター８３と、第２の撮像素子２８の受光面に照射される被写体光束の光量を制限する機械式のシャッター手段であり、例えばフォーカルプレーン方式の機械式シャッター等からなるメカシャッター２７と、制御回路６１からの指令を受けて第２の撮像素子２８を駆動させる駆動手段であると共に、この第２の撮像素子２８からの出力信号を受けて所定の信号処理を施すことにより主に静止画像を表わす画像信号を生成する信号処理手段である第２の撮像回路３１等によって構成されている。そして、メカシャッター２７は、制御回路６１からの指令を受けて制御される駆動回路６２を介してシャッターアクチュエータ２９によって駆動制御されるようになっている。
【００２８】
なお、本実施形態の電子カメラ１においては、メカシャッター２７をフォーカルプレーン方式のシャッター等により構成するものとしている。これは、静止画像を取得するための第２の撮像素子２８の受光面が受光する被写体光束の光量をより効果的に制限するためには、撮像素子の受光面近傍にシャッター手段を設けることが望ましいことから、このような構成としているものである。
【００２９】
つまり、一般的な電子カメラ等における静止画像の撮影記録動作直後には、不必要な被写体光束が撮像素子の受光面に照射されるのを防ぐために、シャッタ手段等を用いて被写体光束の光路を遮蔽するようにしている。即ち、シャッター手段を閉状態とすることで被写体光束の光路を遮蔽し、これによって撮像素子により取得されるべき画像信号に有害光等により生じるノイズ成分等が混入するのを防いでいる。
【００３０】
従来の一般的な電子カメラにおいては、撮影光学系と観察光学系とがそれぞれ別体となるように構成されているのが普通である。このような構成のものでは、撮影レンズユニット１５の内部に設けられる絞り手段をシャッター手段として兼用するようにしたり、絞り手段の近傍にシャッター手段を設けるようにして、所望の効果を得るようにしている。
【００３１】
しかし、この場合には、シャッター手段の配設されている位置と撮像素子の受光面との間の距離が長くなることから、効果的に有害光等を遮蔽することができない場合がある。そこで、シャッター手段と撮像素子の受光面との間隔はできる限り短くするように配置するのが望ましい。
【００３２】
このことを考慮して、本実施形態の電子カメラ１においては、メカシャッター２７を第２の撮像素子２８の受光面近傍に設けている。これによれば、第２の撮像素子２８によって取得される画像信号へのノイズ成分等の混入をより効果的に抑止することができることから、同画像信号に基づいて生成される静止画像の画質をより良好なものとすることが容易にできるという効果がある。
【００３３】
さらに、本実施形態の電子カメラ１は、撮影光学系と観察光学系（ファインダー光学系）とを兼用するようにしたいわゆる一眼レフレックス方式のものである。したがって、従来の電子カメラのように、シャッター手段を撮影レンズユニットの内部に配設する手段では、次に示すような問題が生じる。
【００３４】
即ち、上述したようにシャッター手段は、撮像素子による撮影記録動作直後に撮像素子への入射光（被写体光束）を遮蔽するために閉状態となるものであるが、この場合においては、撮影記録動作直後の所定の時間、シャッター手段の閉動作によって被写体光束の光路が遮断されることになる。
【００３５】
このとき、撮影光学系と観察光学系とがそれぞれ別体となるように構成されている従来の電子カメラでは、撮影光学系から撮像素子への被写体光束の光路が遮断されるのみであって、撮影光学系により被写体像を観察することができる状態は確保されている。
【００３６】
しかし、本電子カメラ１のような一眼レフレックス方式のカメラにおいて、シャッター手段を撮影レンズユニットの内部に設けた場合には、撮影光学系を透過した被写体光束は、ここで遮断されてしまうので、第２の撮像手段３０のみならず、光学ファインダーユニット７３又は後述する第１の撮像手段５５へも到達することができないことになる。したがって、撮影レンズユニット１５の内部にシャッター手段を配置した場合には、同シャッター手段が閉状態とされている所定の時間の間は、被写体像の観察を行なう手段が全くないことになってしまうという問題がある。
【００３７】
そこで、本電子カメラ１においては、第２の撮像素子２８の受光面の近傍にメカシャッター２７を配置することによって、このような問題を解消している。これによれば、光学ファインダーユニット７３又は第１の撮像手段５５及び表示装置５３を利用する電子ビューファインダーを使用することが常に可能となるので、静止画像の撮影記録動作の実行中にも常に所望の被写体像を観察することができるという効果がある。
【００３８】
さらに、動画像と静止画像とを同時に撮影記録する場合において、静止画像の撮影記録動作中にメカシャッター２７が閉状態となったときにも、主に動画像を扱う第１の撮像手段５５側への被写体光束が途切れてしまうようなこともないので、何の問題もなく確実に両画像データの同時記録を実行することができることになる。
【００３９】
他方、第１の撮像手段５５は、第２の撮像素子２８よりも少ない画素数からなるＣＣＤ等の光電変換素子である第１の撮像素子４６と、制御回路６１からの指令を受けて第１の撮像素子４６を駆動させる駆動手段であると共に、第１の撮像素子４６からの出力を受けて所定の信号処理を施して画像信号を生成する信号処理手段である第１の撮像回路４７と、第４ミラー１９によって導かれた被写体光束を受けて縮小した被写体像を第１の撮像素子４６の受光面に結像させる縮小光学系４５と、第１の撮像手段５５への被写体光束の光路上の開口部に設けられ、同光束を透過させ得ると共に、第１の撮像手段５５への塵埃や異物等の進入を防ぎ得る防塵手段である保護ガラス等の透明部材７５ｂ等によって構成されている。
【００４０】
なお、第１の撮像素子４６においても、上述の第２の撮像素子２８と同様に、その受光面側にはＩＲカットフイルタやローパスフイルタ等が配設されるが、その図示は省略している。
【００４１】
第１の撮像素子４６としては、ＣＣＤ等のほかに、例えば相補型金属酸化膜半導体（ＣＭＯＳ：Ｃomplementary Ｍetal Ｏxide Ｓemiconductor）等を用いることができる。このＣＭＯＳは、一般的なＣＣＤ等と同等の役目をするものであるが、ＣＣＤと比較するとより低消費電力で駆動させることができるというものである。そして、ＣＣＤよりも安価に製造し得るものであるので、第１の撮像素子４６に適用するのに好適な光電変換素子である。
【００４２】
縮小光学系４５は、撮影レンズユニット１５・第１ミラー１６・第２ミラー１７・拡大リレー光学系７１・第３ミラー１８・第４ミラー１９を経て第１の撮像手段５５に到達した被写体光束を集光し、これにより第１の撮像素子４６の受光面に被写体像を再結像させるものである。この縮小光学系４５は、第１の撮像素子４６の受光面に結像される被写体像が、撮影光学系を透過して第２の撮像素子２８の受光面に結像される被写体像と略同等の像、即ち第２の撮像素子２８よりも少ない画素数からなる第１の撮像素子４６の画素数に対応した被写体像となるように縮小して再結像させるためのものである。
【００４３】
このようにして、第１の撮像手段５５により取得される画像信号に基づいて後述する画像表示手段である表示装置５３（図２参照）に表示される画像の画角（視野角又は撮影範囲）と、第２の撮像手段３０により取得される画像信号に基づいて表示され得る画像の画角（視野角又は撮影範囲）とが略一致するようにしている。したがって、光学ファインダーユニット７３とは別に被写体像を観察するための電子的なファインダーとして表示装置５３を利用することが問題なくできるようになっている。
【００４４】
ＡＦユニット５４は、一般的な一眼レフレックスカメラ等に利用されるＡＦ機構であって、いわゆるセパレータレンズを利用した位相差検出方式の焦点検出手段（ＴＴＬ−ＡＦ方式のＡＦ手段）により構成されている。
【００４５】
このＡＦユニット５４の構成を簡単に説明すると、次のようになる。
即ちＡＦユニット５４は、上述の第２の各撮像素子２８の受光面に結像される被写体像と略同等であって、拡大リレー光学系７１により拡大された被写体像の空中像を二分割して一対の被写体像を結像させる瞳分割レンズ（セパレータレンズ）４２と、この瞳分割レンズ４２により結像された一対の被写体像を受光して光電変換するＣＣＤ等の撮像素子からなるＡＦセンサ４３と、このＡＦセンサ４３の出力を受けて焦点検出のための所定の信号処理を施すＡＦ回路４４等によって構成されている。
【００４６】
ＡＥユニット２３も一般的な一眼レフレックスカメラ等に利用される自動露出機構（ＡＥ機構）が用いられており、被写体光束を集光する集光レンズ８０と、受光素子等からなるＡＥセンサ２１と、このＡＥセンサ２１の出力を検出し所定の信号処理を行なうＡＥ回路２２等によって構成されている。
【００４７】
次に、本電子カメラ１の信号処理系は、次のような各部材によりに構成されている（図２参照）。
即ち、本電子カメラ１の信号処理系は、第１の撮像回路４７により生成された画像信号（アナログ信号）をデジタル信号に変換する第１のＡ／Ｄ変換回路４９と、この第１のＡ／Ｄ変換回路４９の出力を受けてデジタル化された画像信号を一時的に記憶するバッファメモリ等の第１のＤＲＡＭ５０と、第２の撮像回路３１により生成された画像信号（アナログ信号）をデジタル信号に変換する第２のＡ／Ｄ変換回路３２と、この第２のＡ／Ｄ変換回路３２の出力を受けてデジタル化された画像信号を一時的に記憶するバッファメモリ等の第２のＤＲＡＭ３３と、第１の撮像手段５５により取得された画像信号に基づいて生成される画像データ（主に動画像データ）を電気的に記録する第１の記録媒体４８と、第２の撮像手段３０により取得された画像信号に基づいて生成される画像データ（主に静止画像データ）を電気的に記録する第２の記録媒体４０と、第１のＤＲＡＭ５０に一時的に記憶されている画像信号を読み出して所定の信号処理（例えば圧縮処理や符号化処理等）を施し第１の記録再生回路３９（後述する）へと出力すると共に、この第１の記録再生回路３９によって第１の記録媒体４８から読み出された画像データに対して所定の信号処理（例えば復号化処理や伸長処理等）を施す第１の圧縮伸長回路３８と、第２のＤＲＡＭ３３に一時的に記憶されている画像信号を読み出して所定の信号処理（例えば圧縮処理や符号化処理等）を施し第２の記録再生回路３６（後述する）へと出力すると共に、この第２の記録再生回路３６によって第２の記録媒体４０から読み出された画像データに対して所定の信号処理（例えば復号化処理や伸長処理等）を施す第２の圧縮伸長回路３５と、第１の圧縮伸長回路３８からの出力を受けて記録するのに最適な画像データ（動画像データ）を生成し、これを所定の手順で第１の記録媒体４８の所定の領域に記録する第１の記録手段であると共に、第１の記録媒体４８に記録されている画像データを読み出して、これを第１の圧縮伸長回路３８へと出力する第１の記録再生回路３９と、第２の圧縮伸長回路３５からの出力を受けて記録するのに最適な画像データ（静止画像データ）を生成し、これを所定の手順で第２の記録媒体４０の所定の領域に記録する第２の記録手段であると共に、第２の記録媒体４０に記録されている画像データを読み出す第２の記録再生回路３６と、第１のＤＲＡＭ５０に一時的に記憶されている画像信号を読み出して画像の再生表示等を実行するのに最適な形態の画像信号を生成する第１の表示処理回路５１と、第２のＤＲＡＭ３３に一時的に記憶されている画像信号を読み出して画像の再生表示等を実行するのに最適な形態の画像信号を生成する第２の表示処理回路４１と、液晶ディスプレイ（ＬＣＤ）等からなり画像信号から生成される画像を表示させる画像表示手段である表示装置５３と、第１の表示処理回路５１及び第２の表示処理回路４１からの出力信号を受けて、これに基づいて表示装置５３における所定の表示形態となるように所定の処理を施す表示制御手段である選択合成回路５２等によって構成されている。
【００４８】
なお、第１・第２の記録媒体４８・４０としては、例えばカード形状やスティック形状等からなる半導体メモリ等や、フロッピーディスク、小型ハードディスク、磁気テープ等の磁気記録媒体やＭＯ（Ｍagneto-Ｏptical）ディスク、ＭＤ（Ｍini Ｄisk）等の光磁気記録媒体等が適用されるものである。
【００４９】
そして、本電子カメラ１の電源系は、この電源系全体を制御する電源回路５６と、本電子カメラ１の全体に電力を供給する蓄電池等の電源電池９２と、本電子カメラ１に供給する電力を外部電源装置等（図示せず）から取得するために本カメラ１と外部電源装置等とを電気的に接続する接続手段である外部電源端子９１と、供給される電力の状態、例えば電池９２の残存容量等を検出する電池状態検出回路５７等によって構成されている。
【００５０】
さらに、制御回路６１には、本電子カメラ１の操作系を構成する各種の操作部材（図示せず）に連動する各種のスイッチ部材等が電気的に接続されている。このれら各種のスイッチとしては、例えば電源のオン／オフ操作を行なうパワーＳＷ５８と、本電子カメラ１の動作モード、例えば撮影動作を行なう記録モードと記録媒体に記録されている画像データを読み込んで表示装置５３の再生表示動作を実行させる再生モードとを選択的に切り換える記録／再生ＳＷ（ＲＥＣ／ＰＬＡＹ−ＳＷ）５９と、画像再生時の形態（再生モード）を切り換える再生モード切換ＳＷ６０と、自動焦点調節動作（合焦動作又はＡＦ動作ともいう）の形態を切り換える合焦切換操作手段であるＡＦ切換ＳＷ６９と、静止画像の撮影動作を開始するに当ってＡＥ・ＡＦ動作の開始等、静止画像データの撮影記録動作の予備動作を実行させる旨を指示する指令信号（予備動作指示信号）を発生させる第一段目のスイッチとなるファースト（１ｓｔ．）レリーズＳＷ６５と、第２の撮像素子２８やメカシャッター２７・絞り部１３等を制御して静止画像のための露光動作、即ち実質的な静止画像の記録動作を実行させる旨を指示する指令信号（記録実行指示信号）を発生させる第二段目のスイッチとなるセカンド（２ｎｄ．）レリーズＳＷ６６と、表示装置５３に表示される画像の表示形態を選択し指示するための信号を発生させるモードＳＷ６７と、ズームレンズ群１２による撮影倍率を変更するためのズームＳＷ６８と、第１の撮像手段５５を使用して動画像の撮影動作を開始させるための指令信号を発生させる動画記録ＳＷ７４等の各種のスイッチ類がある。
【００５１】
上記１ｓｔ．レリーズＳＷ６５及び２ｎｄ．レリーズＳＷ６６は、上述のように第一段目と第二段目との二段階操作によって構成される二段スイッチであって、この二段スイッチ（６５・６６）は、本電子カメラ１の外装部材（図示せず）の上面側に向けて一部が露出するように配設されるレリーズボタン（図示せず）に連動するようになっている。
【００５２】
このレリーズボタンは、主に静止画像を表わす画像信号に基づいて生成される静止画像データを取得する際に使用される静止画記録操作手段であって、いわゆる位置復帰型のスイッチ部材からなるものである。なお、このレリーズボタン及びこれに連動する二段スイッチ（６５・６６）の具体的な構成は、一般的なカメラ等によって実用化されているものと同様であり、その作用も同様である。したがって、その詳細な説明は省略する。また、レリーズボタンの近傍には、動画記録ＳＷ７４に連動して動画像の撮影記録動作のオン／オフ状態を切り換える動画記録操作手段である動画記録ボタン（図示せず）が設けられている。
【００５３】
レリーズボタンと動画記録ボタンとは、静止画像又は動画像の撮影記録動作をそれぞれ開始させ停止させるための記録操作部材であると共に、記録モード切換ＳＷ（図示せず）にも連動している。つまり、レリーズボタンと動画記録ボタンとを組み合わせて操作することによって、記録モード切換ＳＷが所定のオン／オフ状態に切り換わることによって、撮影記録時における記録モードを自動的に切り換え得るようになっている。
【００５４】
本電子カメラ１における記録モードには、第１の撮像手段５５を使用して動画像記録を実行しているときに、特に切り換え操作を行なうことなく任意にレリーズ操作を行なうことで、つまり動画記録ボタンとレリーズボタンとを同時に操作することで、実行中の動画像の記録動作を中断させることなく、実行中の動画像の記録動作に並行させて第２の撮像手段３０を使用した静止画像の記録動作を実行し得る通常記録モードと、第２の撮像手段３０を使用して静止画像のみの記録動作を実行する静止画像記録モードとがある。
【００５５】
これについてさらに詳しく説明すると、次のようになる。即ち、本電子カメラ１の電源状態がオン状態にされた起動直後の状態等では、記録モードは通常記録モードに設定される。この場合において、動画像のみの撮影記録動作を行なう場合には、動画記録ボタンのみを操作する。このとき動画記録ＳＷ７４がオン状態となり制御回路６１に向けて動画像データの記録動作を開始する旨の指令信号が発生する。これにより電子カメラ１は通常記録モードで動作を開始する。このときは、動画像データのみの撮影記録動作が開始することになる。
【００５６】
また、本電子カメラ１の起動直後の状態等、電源状態がオン状態にあり、かつ動画像データ及び静止画像データのいずれの撮影記録動作も実行されていない状態において、レリーズボタンのみを操作すると、静止画像のみの撮影記録動作が開始される。この場合においては、まずレリーズボタンの第一段目の操作によって１ｓｔ．レリーズＳＷ６５が作動して静止画像の撮影記録動作の予備動作を実行させる旨の指令信号が生じ、所定の予備動作を実行する。次いで、レリーズボタンの第二段目の操作によって２ｎｄ．レリーズＳＷ６６が動作して静止画像の実質的な記録動作を実行させる旨の指令信号が発生し、所定の露光動作が実行される。この一連の動作によって、本電子カメラ１は静止画像記録モードで動作する。
【００５７】
一方、動画像データの撮影記録動作を実行中に静止画像データの撮影記録動作を並行して行なう場合には、まず動画記録ボタンを操作して、通常記録モードに切り換える。すると、動画像の撮影記録動作が開始する。その後、この動画像データの撮影記録動作を実行させながら、所望するときにレリーズボタンを操作する。これにより動画像データの撮影記録動作を中断させずに、所望の静止画像データの撮影記録を同時に並行させて実行することができるようになっている。
【００５８】
また、本電子カメラ１においては、ＡＦ切換ＳＷ６９に連動する操作部材（図示せず)を操作することによってＡＦ動作の形態を切り換えることができるようになっている。このＡＦ切換ＳＷ６９によって切り換えることのできるＡＦ動作の形態としては、例えば次のようなものがある。
【００５９】
即ち、ＡＦ動作を開始させるための指令信号、例えば１ｓｔ．レリーズＳＷ６５からの信号を受けて、所定のＡＦ動作を一回だけ行なうと共に、この１ｓｔ．レリーズＳＷ６５の信号が生じている間は、その合焦状態を維持する、いわゆるフォーカスロック状態となるように制御がなされる通常ＡＦモードと、１ｓｔ．レリーズＳＷ６５からの指令信号を受けて、この指令信号が生じている間は、一連のＡＦ動作を連続的に繰り返し実行するようにしたいわゆるコンティニュアスＡＦモード等がある。
【００６０】
さらに、本電子カメラ１では、上述したように静止画像と動画像とをそれぞれ単独で撮影記録することができると共に、両者を同時に並行して撮影記録することができるようになっている。このことから、１ｓｔ．レリーズＳＷ６５及び２ｎｄ．レリーズＳＷ６６に連動するレリーズボタンと、動画記録ＳＷ７４に連動する動画像記録ボタンと、ＡＦ切換ＳＷ６９に連動する操作部材とをそれぞれ組み合わせて操作することによって、ＡＦ動作の形態がそれぞれの場合において最適なものとなるようになっている。
【００６１】
また、本電子カメラ１においては、主に静止画像データの撮影記録動作を実行するときに周囲の環境、即ち撮影環境が低照度であるような場合等に補助的な照明光を所望の被写体を含む所定の撮影範囲内に向けて照射する補助光発光手段であるストロボ装置がカメラ本体と一体的に設けられている。このストロボ装置は、キセノン（Ｘｅ）管等の構成部材からなり、所望の被写体に向けて所定の補助光を照射する閃光発光部であるストロボ発光部８４と、このストロボ発光部８４による発光動作等の制御を行なう補助光制御手段であるストロボ制御回路８５等によって構成されている。
【００６２】
このように構成された本実施形態の電子カメラ１の作用を、以下に説明する。
まず、パワーＳＷ５８に連動する操作部材が操作されると同パワーＳＷ５８からは電力供給を開始させる旨の指令信号が制御回路６１に伝送され、これを受けた制御回路６１は、電源回路５６を制御して電池９２又は外部電源端子９１を介して接続される外部電源から本電子カメラ１の各回路への電力の供給を開始させる。これによって本電子カメラ１の電力供給状態がオン状態にされる。
【００６３】
この場合において、ＲＥＣ／ＰＬＡＹ−ＳＷ５９が所定の記録位置（ＲＥＣ位置）に設定されているときには、本電子カメラ１は記録モードで起動し、ＲＥＣ／ＰＬＡＹ−ＳＷ５９が所定の再生位置（ＰＬＡＹ位置）に設定されているときには、本電子カメラ１は再生モードで起動する。
【００６４】
なお、電子カメラ１が起動している状態においては、ＲＥＣ／ＰＬＡＹ−ＳＷ５９を操作して、その時点において設定されている動作モード（記録モード又は再生モード）を示す所定の位置から異なる動作モードを示す所定の位置へと切り換えることによって、現在の動作モードの設定を任意に切り換えることができる。また、本電子カメラ１においては、記録モードに設定されると、動画像と静止画像とを同時に撮影記録し得る通常記録モードが設定される。
【００６５】
このようにして起動した状態の本電子カメラ１において撮影光学系を透過した被写体光束は、まず第１ミラー１６によって二分割され、一部が第１の撮像手段５５の側へ、他の一部が第２の撮像手段３０の側へと導かれる。つまり、被写体光束の一部は、第１ミラー１６によって角度略９０度折り曲げられて第２ミラー１７へと向かい、この第２ミラー１７によってさらに角度略９０度折り曲げられる。次いで同被写体光束は、拡大リレー光学系７１を透過した後、第３ミラー１８へと向かう。
【００６６】
この第３ミラー１８は、上述したようにハーフミラーからなるものであるので、この第３ミラー１８によって一部の光束がその反射面で反射されてＡＦユニット５４へと導かれる。また被写体光束の他の一部は、第３ミラー１８を透過して第４ミラー１９へと向かう。
【００６７】
上述のように第３ミラー１８によりＡＦユニット５４へと導かれた被写体光束は、まず瞳分割レンズ４２へと入射される。ここで一対の被写体像が形成されて対応するＡＦセンサ４３の受光面上に結像される。
【００６８】
ＡＦセンサ４３は、例えば１ｓｔ．レリーズＳＷ６５（静止画像データの撮影記録時）や動画記録ＳＷ７４（動画像データの撮影記録時）等からの指令信号等によって撮影動作を開始する旨の宣言がなされたときに、その受光面に受光されている被写体像を検出し、これを電気的な信号に光電変換してＡＦ回路４４へと出力する。これを受けてＡＦ回路４４は、焦点検出のための所定の信号処理を施した後、これを制御回路６１へと出力する。すると、これを受けて制御回路６１は、駆動回路６２を介してＡＦモータ２６等を駆動制御し、これによりＡＦレンズ群１４を所定量だけ移動させるＡＦ動作を実行する。
【００６９】
一方、第３ミラー１８を透過した被写体光束は、第４ミラー１９に到達し、この第４ミラー１９によって被写体光束の一部が第１の撮像手段５５へと導かれる。この第１の撮像手段５５へと導かれた被写体光束は、透明部材７５ｂ及び縮小光学系４５を透過して、この縮小光学系４５により第１の撮像素子４６の受光面に被写体像が再結像される。これを受けて第１の撮像素子４６は、被写体像の光電変換処理を行ない所定の画像信号を生成して、これを第１の撮像回路４７へと出力する。
【００７０】
第１の撮像回路４７は、同画像信号に対して所定の画像処理を施して第１のＡ／Ｄ変換回路４９へと出力する。そして、この第１のＡ／Ｄ変換回路４９でデジタル信号に変換された画像信号は、第１のＤＲＡＭ５０に対して順次出力され、ここに一時的に記憶される。
【００７１】
第１のＤＲＡＭ５０に一時的に記憶された画像信号は、第１の表示処理回路５１に順次出力されて、ここで表示装置５３の表示部（特に図示せず）で表示するのに最適な形態となるように所定の信号処理が施された後、選択合成回路５２を介して表示装置５３に出力され、その表示部に所定の画像が所定の形態で表示される。このとき表示装置５３の表示部に表示される画像は、主に観察表示用の動画像である。したがって、表示装置５３は、ファインダーとしての役目をする。
【００７２】
また、第４ミラー１９に到達した被写体光束のうち他の一部は、直進して第４ミラー１９を透過し、フォーカシングスクリーン２０を経て光学ファインダーユニット７３及びＡＥユニット２３の側へと向かう。
【００７３】
光学ファインダーユニット７３においては、入射された被写体光束に基づいて被写体像が再結像され、撮影時の撮影範囲や被写体の状態の確認等を行うための観察像として視認され得る状態となる。つまり、光学ファインダーユニット７３は、常に被写体像の観察を行なう光学的なファインダーとしての役目をする。
【００７４】
ＡＥユニット２３においては、被写体光束が集光レンズ８０を透過してＡＥセンサ２１に入射する。このＡＥセンサ２１は、例えば１ｓｔ．レリーズＳＷ６５（静止画像データの撮影記録時）や動画記録ＳＷ７４（動画像データの撮影記録時）等からの指令信号を受けたときに、その時点において受光されている被写体光束を光電変換し、その信号をＡＥ回路２２へと出力する。これを受けてＡＥ回路２２は、検出した信号に対して所定の信号処理を施した後、これを制御回路６１へと出力する。
【００７５】
これを受けて制御回路６１は、駆動回路６２を介して絞りアクチュエータ２５等を駆動制御し、これにより絞り部１３を所定の大きさの開口となるように駆動すると共に、第１の撮像素子４６又は第２の撮像素子２８等を駆動させて、その受光面への受光光量を電気的に調整することで、画像を記録する際のＡＥ動作が実行されることになる。
【００７６】
ところで、一般的に電子カメラによって、動画像データを取得し、これを記録したり、同動画像データに基づいて対応する動画像を観察し得る形態に表示するためには、次のような手段が用いられるのが普通である。即ち、撮像素子は、撮影光学系により結像された被写体像を順次光電変換し、これにより得られる静止画像を表わす画像信号を順次出力する。この撮像素子からの出力信号に対して所定の信号処理を施した後、その画像信号を順次、表示装置へと出力し、その表示部に動画像として表示させるようにしている。また、撮像素子からの出力信号に対して所定の信号処理を施した後、その一連の画像信号を動画像データとして所定の記録媒体に記録する。
【００７７】
このように、通常の電子カメラにおいて扱われる動画像とは、撮像素子によって取得される静止画像信号を連続的に処理し、これを順次表示させることで構成されているものである。
【００７８】
具体的には、撮像素子によって取得された動画像データは、これを構成する複数の静止画像データを所定のレート（例えば３０画像毎秒；ｆｐｓ）によって連続的に表示し得るように所定の信号処理が施されて表示装置等に出力される。これによって、動画像として表示することができるようになる。
【００７９】
本電子カメラ１においては、上述したような手段と同様に取得された動画像データが扱われている。そして、この場合において制御回路６１は、動画記録ＳＷ７４からの指令信号を受けてＡＦ及びＡＥ動作を１フレーム毎に、つまり動画像データを生成するための一連の静止画像を連続的に生成する都度、順次行なっている。
【００８０】
次に、本電子カメラ１を用いて画像の撮影記録を行なう際の動作について、以下に説明する。
まず、本電子カメラ１が通常記録モードで起動している状態において、動画記録ＳＷ７４からの指令信号が生じると、制御回路６１は、第１の撮像手段５５等を用いて動画像データを記録するための動作の制御を開始する。その詳細は、上述した通りである。
【００８１】
次いで、この動画像データの撮影記録動作の実行中に、１ｓｔ．レリーズＳＷ６５からの指令信号（静止画像データの撮影記録動作の開始信号）が生じると、これを受けて制御回路６１は、ＡＦ切換ＳＷ６９の出力信号を検出し、その検出結果に応じた静止画像の撮影記録動作のための予備動作を実行する。
【００８２】
ここで、例えばＡＦ切換ＳＷ６９の出力信号が通常ＡＦモードを指示する指令信号である場合には、制御回路６１は、実行中の動画像データの撮影記録動作のために実行している連続的なＡＦ動作を一時的に所定の時間だけ停止させ、１ｓｔ．レリーズＳＷ６５の指令信号が発生した時点における合焦状態を維持するフォーカスロック状態となるように駆動回路６２を介してＡＦモータ２６等を制御する。そして、２ｎｄ．レリーズＳＷ６６からの指令信号を待つ。
【００８３】
このフォーカスロック状態は、１ｓｔ．レリーズＳＷ６５からの指令信号が発生している間は、継続して保持される。これと同時に、制御回路６１は、上述のように所定のＡＥ動作も実行されている。
【００８４】
また、ＡＦ切換ＳＷ６９の出力信号がコンティニュアスＡＦモードを指示する指令信号である場合には、制御回路６１は、実行中の動画像データの撮影記録動作のために実行している連続的なＡＦ動作を継続し、２ｎｄ．レリーズＳＷ６６からの指令信号が発生すると、その時点における合焦状態を所定の時間だけ維持するように駆動回路６２を介してＡＦモータ２６等を制御する。
【００８５】
上述のいずれの場合においても、電子カメラ１の内部に入射された被写体光束は、次に示すように作用する。即ち、被写体光束は、撮影レンズユニット１５の内部を透過して第１ミラー１６によって二分割される。そのうちの一部は、所定の光路を辿って第１の撮像手段５５へと導かれ、第１の撮像素子４６の受光面に被写体像を結像させる。また他の一部は、第１ミラー１６を透過して第２の撮像手段３０へと導かれ、第２の撮像素子２８の受光面に被写体像を結像させる。
【００８６】
そして、両撮像素子４６・２８の受光面に照射される被写体光束からは、ローパスフイルタ（８２）によって高周波成分が取り除かれ、ＩＲカットフイルタ（８３）によって赤外光成分が取り除かれる。なお、両撮像素子４６・２８の受光面に結像される被写体像は、略同等のものである。
この状態において、１ｓｔ．レリーズＳＷ６５からの指令信号によりＡＥ・ＡＦ動作が実行される。
【００８７】
次いで、２ｎｄ．レリーズＳＷ６６からの指令信号が発生すると、その信号発生時点におけるＡＥ動作の演算結果に基づいて制御回路６１は、駆動回路６２を介して絞りアクチュエータ２５・シャッターアクチュエータ２９等を駆動制御し、絞り部１３・メカシャッター２７等を駆動させると共に、このときズームＳＷ６８からのズーム指示信号等が生じていれば、これに基づいてズームモータ２４等を駆動制御し、ズームレンズ群１２を所定の位置へと移動させて静止画像の記録動作における実質的な撮影記録動作を実行する。
【００８８】
即ち、第２の撮像手段３０の側では、上述したように第２の撮像素子２８の受光面に被写体像が結像されるが、このときメカシャッター２７は、撮影動作の開始と同時に開放状態となり、所定の露光時間の経過後に閉状態となる。この動作は、２ｎｄ．レリーズＳＷ６６からの指令信号を受けた制御回路６１により駆動回路６２を介して駆動制御されるシャッターアクチュエータ２９の作用によってなされる。これにより不要となるノイズ成分等の光成分が、第２の撮像素子２８によって取得されるべき画像信号に混入することを防いでいる。
【００８９】
このようにして第２の撮像素子２８の受光面に所定の時間照射された被写体像を形成する光成分は、第２の撮像素子２８によって光電変換がなされて画像信号が生成される。この画像信号は、第２の撮像回路３１に出力されて所定の信号処理が施された後、第２のＡ／Ｄ変換回路３２へと出力され、ここでデジタル信号に変換される。そして、このデジタル化された画像信号は、第２のＤＲＡＭ３３へと出力されて、ここに一時的に記憶される。
【００９０】
第２のＤＲＡＭ３３に一時的に記憶された画像信号は、第２の表示処理回路４１に出力されて、表示装置５３の表示部（特に図示せず）で表示するのに最適な所定の形態の信号処理が施された後、選択合成回路５２を介して表示装置５３に出力され、ここに所定の画像（記録用の静止画像と同等の静止画像）が所定の形態で表示される。
【００９１】
そして、このときの一連の動画像の撮影記録動作は、動画記録ＳＷ７４の指令信号が生じている間、中断することなく連続的になされている。つまり、第１の撮像手段５５の側では、上述した手順によって被写体像を表わす画像信号が順次、第１のＤＲＡＭ５０へと出力されて、ここに一時的に記憶され、観察表示用の動画像信号として第１の表示処理回路５１へと出力されている。これと同時に、第１のＤＲＡＭ５０からは、一時的に記憶されている画像信号が、記録用の動画像信号として第１の圧縮伸長回路３８へと出力される（詳細は後述する）。
【００９２】
したがって、表示装置５３には、既に第１の表示処理回路５１からの出力信号が選択合成回路５２を介して順次入力され、その表示部に動画像が表示されている状態となっている。この状態で第２の表示処理回路４１からの出力信号が選択合成回路５２に入力されると、この選択合成回路５２では、予め設定されたモードＳＷ６７からの指示に基づく所定の表示形態となるように第１・第２の表示処理回路５１・４１からの各画像信号に対して合成処理等の所定の画像処理が施される。その後、この画像処理済みの信号を既に表示中の動画像のみの信号に代えて表示装置５３へと出力する。これにより表示装置５３の表示部には、モードＳＷ６７により選択し指示した所望の表示形態で、動画像及び静止画像が表示される。
【００９３】
なお、本電子カメラ１においては、パワーＳＷ５８により電源がオン状態とされ、かつＲＥＣ／ＰＬＡＹ−ＳＷ５９によって動作モードが記録モードに設定された状態においては、表示装置５３の表示部に観察用の動画像が全表示領域に表示されるようになる。
【００９４】
この状態にあるときに、例えば表示装置５３の表示のオン／オフを行なうための操作部材等（図示せず）を用いて所定の操作を行なうと、同表示装置５３の表示部への画像表示を行なわないようにすることもできる。
【００９５】
このように表示装置５３の表示をオフ状態とした場合には、光学ファインダーユニット７３のみによって被写体像を観察することになる。この場合においては、表示装置５３の表示部には、観察用の画像表示がなされないのであるが、撮影記録動作が実行されている状態であれば、動画像データ等の所望の画像データは、全く同様に所定の記録媒体に記録される。
【００９６】
上述したように第１のＤＲＡＭ５０及び第２のＤＲＡＭ３３に一時的に記憶された画像信号は、表示用の画像信号としてそれぞれ第１・第２の表示処理回路５１・４１へと出力されるが、これとは別に、記録用の画像信号としてそれぞれ第１の圧縮伸長回路３８及び第２の圧縮伸長回路３５へも出力される。
【００９７】
即ち、第１のＤＲＡＭ５０から第１の圧縮伸長回路３８へと、順次出力される記録用の画像信号は、この第１の圧縮伸長回路３８において、所定の信号処理が施されて一連の動画像データとしてデータ化された後、第１の記録再生回路３９に出力される。この画像データを受けて第１の記録再生回路３９は、記録するのに最適な形態の所定の動画像データを生成し、これを第１の記録媒体４８の所定の領域に記録する。
【００９８】
また、第２のＤＲＡＭ３３から第２の圧縮伸長回路３５へと出力された記録用の画像信号は、この第２の圧縮伸長回路３５において、所定の信号処理が施されてデータ化された後、第２の記録再生回路３６に出力される。この画像データを受けて第２の記録再生回路３６は、記録するのに最適な形態の所定の静止画像データを生成し、これを第２の記録媒体４０の所定の領域に記録する。
【００９９】
そして、静止画像データの撮影記録動作が完了すると、制御回路６１は、駆動回路６２を介してＡＦモータ２６等を制御して、動画像データの撮影記録のための連続的なＡＥ及びＡＦ動作を再開する。
【０１００】
次に、静止画像データのみを単独で撮影記録する静止画像記録モードにおける動作を、以下に説明する。本電子カメラ１が通常記録モードで起動している状態において、レリーズボタンのみを操作すれば静止画像記録モードに切り換わる。
【０１０１】
即ち、レリーズボタンの第一段目の操作により１ｓｔ．レリーズＳＷ６５の指令信号を発生させると静止画像記録モードに切り換わる。そして、静止画像データの撮影記録動作による一連の予備動作（ＡＦ及びＡＥ動作等）が実行される。このとき制御回路６１は、ＡＦ切換ＳＷ６９の出力信号を検出し、その検出結果に応じて、次に示すようなＡＦ動作の制御を実行する。
【０１０２】
即ち、ＡＦ切換ＳＷ６９の出力信号が通常ＡＦモードを指示する指令信号である場合には、予備動作によって設定される合焦状態等は、１ｓｔ．レリーズＳＷ６５の指令信号が生じている間、継続して維持される。そして、この状態において制御回路６１は、２ｎｄ．レリーズＳＷ６６の指令信号の待機状態となる。
【０１０３】
静止画像データの撮影記録動作時には、通常の場合、１ｓｔ．レリーズＳＷ６５の指令信号を受けて実行される予備動作は一回のみ実行するようにしており、これにより設定された合焦状態等が、１ｓｔ．レリーズＳＷ６５の指令信号が生じている間、継続して維持され、２ｎｄ．レリーズＳＷ６６の指令信号を待機することになる。
【０１０４】
この状態でレリーズボタンの第二段目の操作がなされると２ｎｄ．レリーズＳＷ６６の指令信号が発生する。制御回路６１は、これを受けて実質的な静止画像の一連の撮影記録動作を実行する。その後、電子カメラ１は初期状態に復帰して、制御回路６１は、１ｓｔ．レリーズＳＷ６５からの指令信号の待機状態となる。
【０１０５】
一方、本電子カメラ１は、上述したように動画像データの撮影記録動作の実行中、即ち動画記録ＳＷ７４の指令信号が生じているときには、所望するときにレリーズボタンを操作して１ｓｔ．レリーズＳＷ６５からの指令信号を発生させると、これを受けて制御回路６１は、動画像データの撮影記録動作を中断させずに、これと並行させて静止画像データを取得するための所定の制御動作を開始する。
【０１０６】
この場合において、レリーズボタンの操作に連動して１ｓｔ．レリーズＳＷ６５からの指令信号が生じると、制御回路６１は、ＡＥ及びＡＦ動作等の撮影予備動作を開始する。
【０１０７】
このとき制御回路６１は、ＡＥユニット７３からの所定の信号に基づいて所定の演算処理を実行し、その時点における測光結果を算出する。そして、この測光結果が、例えば周囲の撮影環境の輝度情報が所定の輝度以下である場合には、制御回路６１は、実際の撮影動作（露光動作）を行なうに際してストロボ装置による発光動作を実行することが望ましいと判断する。このような場合には、発光動作が必要である旨の表示等が、電子カメラ１の光学ファインダーユニット７３の所定の表示部（図示せず）や、表示装置５３の表示部（図示せず）の所定の位置等に表示される。
【０１０８】
したがって、撮影者は、このような表示がなされた場合には、ストロボ装置による発光動作を実行し得るように、例えばストロボ装置の電源状態をオン状態となるように所定の操作部材等を用いて切り換える。
【０１０９】
なお、このようなストロボ装置の電源状態を手動によって切り換えるようにする手段とは別に、例えば露光動作を行なうに際してストロボ装置による発光動作が必要であるような周囲環境である場合には、ストロボ装置の発光動作が可能となる状態に自動的に切り換わるようにすることもできる。
【０１１０】
この場合における制御回路６１は、上述の場合と同様に、まずＡＥユニット７３からの所定の信号に基づいて所定の演算処理を実行し、その時点における測光結果を算出する。そして、この測光結果によって周囲の撮影環境の輝度情報等が所定の輝度以下であると判断した場合には、２ｎｄ．レリーズＳＷ６６の指令信号を受けて開始される実質的な撮影動作時（露光動作時）において、所定の時期にストロボ装置による発光動作を実行するべく、ストロボ装置のストロボ制御回路８５を介してストロボ発光部８４を制御するようにすれば良い。
【０１１１】
次に、本電子カメラ１において動画像データの撮影記録動作が実行されているときに、これと並行してストロボ装置による発光動作を伴う静止画像データの撮影記録動作を実行する場合の発光制御について、以下に説明する。
図３は、第１の撮像素子及び第２の撮像素子の露光動作時におけるストロボ装置のストロボ発光部による発光動作のタイミングを示すタイミングチャートである。
【０１１２】
まず、第１の撮像素子４６を用いて行なわれる動画像データの撮影記録動作（露光動作）は、次のように実行される。上述したように動画像データは、一連の複数の静止画像データによって構成される。この複数の静止画像データのうち個々の１画像（１フレーム）分の画像信号は、二回のフィールド露光、即ち第１フィールド露光と第２フィールド露光とによって取得される画像信号（図３において符号Ａ及び符号Ｂによって示す部分参照）により生成される。
【０１１３】
つまり、各フィールド画像信号（Ａ・Ｂ）は、６０分の１秒（１／６０ｓｅｃ．）毎に交互に順次読み出され、表示装置５３及び第１の圧縮伸長回路３８へと順次出力される。これによって表示装置５３の表示部に動画像として表示されると共に、動画像を表わす所定の動画像データが生成されて所定の記録媒体（第１の記録媒体４８）の所定の位置に記録されることになる。
【０１１４】
一方、第２の撮像素子２８を用いて行なわれる静止画像データの撮影記録動作（露光動作）は、次のように実行される。上述したように１ｓｔ．レリーズＳＷ６５からの指令信号を受けて制御回路６１は、ＡＥユニット７３によって測光動作を実行し、その測光結果を受けて所定の露出値を算出する。その後、これに応じた所定のＡＥ動作を実行する。
【０１１５】
この場合においては、まず第２の撮像素子２８への露光量が適切なものとなるように、上述の測光動作により算出された所定の露出値に対応する絞り及び露光時間が設定される。
【０１１６】
即ち、まず制御回路６１は、駆動回路６２を介して絞りアクチュエータ２５等を駆動制御する。これにより絞り部１３等は、所定の絞り値に設定される。これと同時に制御回路６１は、所望の被写体光束が第２の撮像素子２８の受光面に所定の時間だけ照射されるように第２の撮像回路３１を駆動制御する。
【０１１７】
このようにして静止画像データは、１画像（１フレーム）分の画像信号（図３の符号Ｃで示す部分参照）を一度の露光で取得するようにしている。なお、第２の撮像素子２８は、第１の撮像素子４６よりも多い画素数からなるものであることから、その読み込み時間は、図３の符号Ｃに示すように符号Ａ又は符号Ｂよりも長い時間が必要となる。
【０１１８】
そして、所定の露光動作が完了すると制御回路６１は、駆動回路６２を介してシャッターアクチュエータ２９等を駆動制御することによりメカシャッター２７を作動させる。これにより、第２の撮像素子２８への入射光が遮断される。したがって、取得される画像データに対して不要なノイズ信号の混入が防止される。
【０１１９】
これと同時に制御回路６１は、第２の撮像回路３１を駆動制御して、直前に取得した画像信号を読み出して、これを表示装置５３及び第２の圧縮伸長回路３５の側へと所定の形態で出力する。これによって表示装置５３の表示部には、対応する静止画像が表示されると共に、この静止画像を表わす所定の静止画像データが生成されて所定の記録媒体（第２の記録媒体４０）の所定の位置に記録されることになる。
【０１２０】
なお、動画像データの撮影記録動作の実行中に、これと並行してストロボ装置の発光動作を伴う静止画像データの撮影記録動作を実行する場合には、次のようなストロボ装置の発光制御がなされる。
【０１２１】
まず、動画像データの撮影記録動作は、上述したような手順によって継続して実行されているものとする。この状態において、１ｓｔ．レリーズＳＷ６５の指令信号に基づく一連の動作に続いて２ｎｄ．レリーズＳＷ６６の指令信号が生じると、これを受けて制御回路６１は、上述したように駆動回路６２を介して絞りアクチュエータ２５を駆動制御して絞り部１３等を駆動させるＡＥ動作を実行する。これと同時にストロボ装置のストロボ制御回路８５を介してストロボ発光部８４の発光タイミングの制御を開始する。
【０１２２】
ストロボ装置による発光動作を伴う静止画像データの撮影記録動作を行なう場合においては、例えば動画像データを構成する個々の静止画像データのフィールド露光動作の実行中、つまり第１の撮像素子４６の露光期間中にストロボ発光部８４による補助光の発光動作がなされると、その発光がなされた時点における動画像データに影響が及ぶことになる。
【０１２３】
したがって、ストロボ発光部８４による発光動作は、動画像データの個々のフィールド露光動作が行なわれていない非露光期間、例えば各フィールド露光動作の終了後であって、その露光動作の直後に行なわれる読み出し動作の開始時点等に発光タイミングを合わせて実行するように制御すれば良い（図３の符号Ｓで示す部分参照）。
【０１２４】
このことから本実施形態においては、ストロボ発光部８４による発光動作の開始時点（符号Ｓ）に合わせて第２の撮像素子２８による静止画像データの実質的な撮影記録動作（露光動作）を開始させるようにしている。
【０１２５】
これによって取得される画像データは、上述の静止画像データの単独記録時と同様の手順で第２の撮像素子２８により読み出され、表示装置５３及び第２の圧縮伸長回路３５の側へと出力される。これによって表示装置５３の表示部には、静止画像が表示されると共に、静止画像を表わす所定の静止画像データが生成されて所定の記録媒体（第２の記録媒体４０）の所定の位置に記録される。
【０１２６】
ところで、上述したように本電子カメラ１における制御回路６１は、１ｓｔ．レリーズＳＷ６５からの指令信号を受けてＡＥユニット７３を駆動制御し、これによって測光動作を実行する。そして、その測光結果を受けて所定の露出値を算出し、これに応じた所定のＡＥ動作を実行するようにしている。
【０１２７】
その結果、例えばストロボ装置による補助光が必要であるような撮影環境であると判断された場合には、制御回路６１は、ストロボ制御回路８５を介してストロボ発光部８４を発光させることになる。このときのストロボ発光部８４による発光量は、制御回路６１によって制御され、これによって適正な露光量が設定されるようにしている。
【０１２８】
そのために、実際の静止画像の撮影動作（露光動作）を行なうのに先立って予め予備発光動作（いわゆるプリ発光動作）を行なって、適切なストロボ発光部８４による発光量を決定する手段が用いられる。
【０１２９】
図４は、第１の撮像素子及び第２の撮像素子の露光動作時におけるストロボ装置のストロボ発光部によるプリ発光動作のタイミングを示すタイミングチャートである。
【０１３０】
図４に示すように、プリ発光動作もまた静止画像データの記録動作時と同様に、実行中の動画像データの記録動作に影響が及ばないように第１の撮像素子４６により取得される動画像データの個々のフィールド露光動作が行なわれていない非露光期間に実行すれば良い（図４の符号Ｐ１・Ｐ２・Ｐ３参照）。
【０１３１】
プリ発光動作は、ストロボ装置によってなし得る最大発光量の数分の１程度の少ない光量による発光動作を複数回実行し、各発光毎に被写体により反射されて本電子カメラ１の側へと戻る反射光の受光量を測光し、これによって得られる測光結果の平均値を演算することにより、その時点において適正となるべき補助光の発光量を決定する。ここで、複数回のプリ発光動作を行なった上で、その平均値を求めるようにしているのは、複数の測光結果に基づいて平均演算することで、誤差を少なくして、より正確な発光量の算出を行なうためになされるのである。
【０１３２】
また、プリ発光動作は、適正な補助光の発光量を決定し適切な露光量を設定するために行われるものであるので、上述のＡＥ動作と同様にＡＥユニット２３を用いてなされることになる。つまり、プリ発光動作によるストロボ発光部８４による補助光の被写体からの反射光量を、ＡＥユニット２３のＡＥセンサ２１によって測光するわけである。
【０１３３】
このＡＥユニット２３のＡＥセンサ２１の測光領域は、例えば撮影画面全体に対して一部の領域となる領域、例えば画面の略中央部近傍に設けられる所定の測光領域において受光される光量を測定するようにしている。したがって、プリ発光動作を行なった際にも、この所定の測光領域におけるデータのみを読み出すようにすれば良い。これにより、図４の符号Ｄ１・Ｄ２・Ｄ３に示すように、プリ発光動作の際のデータ読み出しは、通常の撮影動作時に比べてより高速に行なうことができるのである。
【０１３４】
このようにして制御回路６１は、プリ発光動作を行なうことによって補助光の発光量を算出（決定）し、これに応じてストロボ制御回路８５を介してストロボ発光部８４の発光制御（本発光。図３・図４の符号Ｓ参照）を行なって実際の静止画像の撮影動作を実行する。このときの静止画像データは、図３・図４の符号Ｃに示すように長い時間を要することになる。
【０１３５】
以上のようにして第１・第２の記録媒体４８・４０に記録された動画像データ及び静止画像データは、例えばＲＥＣ／ＰＬＡＹ−ＳＷ５９からの指令信号を受けて本電子カメラ１が再生モードに設定されたときに、所定の手順を経て第１・第２の記録再生回路３９・３６により読み出されることになる。
【０１３６】
即ち、本電子カメラ１が電源オン状態にあるときにＲＥＣ／ＰＬＡＹ−ＳＷ５９が操作されて再生位置に設定されるか、又はＲＥＣ／ＰＬＡＹ−ＳＷ５９が操作されて再生位置に設定された状態で本電子カメラ１のパワーＳＷ５８がオン状態とされることによって、本電子カメラ１は、再生モードで動作するように設定される。
【０１３７】
この状態において、再生モード切換ＳＷ６０等によって所望の画像を選択し再生するための所定の操作がなされたときには、第１・第２の記録再生回路３９・３６によって該当する画像を表わす画像信号を形成する所定の動画像データ又は静止画像データが第１・第２の記録媒体４８・４０の所定の領域より読み出される。
【０１３８】
こうして読み出された画像データは、第１の圧縮伸長回路３８又は第２の圧縮伸長回路３５に出力され、ここで所定の信号処理が施された後、第１のＤＲＡＭ５０又は第２のＤＲＡＭ３３へと出力されて、これに一時的に記憶される。
【０１３９】
つまり、本電子カメラ１が再生モードにあるときに所望の画像を選択し再生するための所定の操作がなされると、選択された画像データが記録されている記録媒体（第１の記録媒体４８又は第２の記録媒体４０のいずれか一方）から第１・第２の記録再生回路３９・３６へと読み出され、この第１・第２の記録再生回路３９・３６及び第１・第２の圧縮伸長回路３８・３５において、その画像データに適した信号処理が施された後、第１のＤＲＡＭ５０又は第２のＤＲＡＭ３３のいずれか一方へと出力されることになる。
【０１４０】
上述のようにして第１の表示処理回路５１又は第２の表示処理回路４１へと出力された画像信号は、選択合成回路５２へと出力され、ここで所定の表示形態となるように所定の信号処理が施された後、表示装置５３に出力され、その表示部に所定の画像が表示されることになる。
【０１４１】
以上説明したように上記一実施形態によれば、動画像データの撮影記録動作の実行中に、静止画像データの撮影記録動作を並行して実行する際に、この静止画像データの撮影記録動作がストロボ装置による発光動作を伴ったものであっても、そのときのストロボ装置による補助光の発光が、同時に実行されている動画像データの撮影記録動作により取得される動画像に対して影響が及ぶことがない。したがって、常に良質な静止画像及び動画像を表わす画像データを同時に記録することが容易にできる。
【０１４２】
なお、本実施形態の電子カメラ１は、いわゆる内蔵ストロボ装置を有して構成される電子カメラを例に挙げて説明している。つまり、本実施形態の電子カメラにおけるストロボ制御回路８５は、電子カメラ１の内部に配設されたストロボ発光部８４による発光動作を制御するようにしているものである。
【０１４３】
しかし、本発明はこれに限るものではない。即ち、電子カメラ等によって利用されるストロボ装置としては、上述のようにカメラ本体に内蔵した内蔵ストロボ装置の他に、例えばカメラ本体とは別体に構成され、カメラ本体の外部に装着するように構成した、いわゆる外部ストロボ装置がある。
【０１４４】
このような外部ストロボ装置は、一般的にカメラ本体の内部回路との間で電気的な接続手段が確保されており、カメラ本体の外装部等に装着した状態で使用されるのが普通である。
【０１４５】
したがって、このような形態の外部ストロボ装置と、電子カメラの内部に配設される補助光制御手段としてのストロボ制御回路とを電気的に接続するように構成することにより、上記一実施形態の電子カメラと同様に、カメラ内部のストロボ制御回路が、カメラ本体の外部に配設される外部ストロボ装置の発光動作を制御することは、容易に構成することができる。
【０１４６】
【発明の効果】
以上述べたように本発明によれば、動画像データと静止画像データとを同時に並行して撮影記録し得るようにした電子カメラであって、動画像データの撮影記録動作を実行中に補助光発光装置による補助光の発光動作を伴う静止画像データの撮影記録動作を実行する際に、記録される動画像データに対する補助光発光装置の補助光の影響を抑止し、より良好な撮影結果を取得することのできる電子カメラを提供することができる。
【図面の簡単な説明】
【図１】本発明の一実施形態の電子カメラの前半部の内部構成を示すブロック構成図。
【図２】本発明の一実施形態の電子カメラの後半部の内部構成を示すブロック構成図。
【図３】本発明の一実施形態の電子カメラにおける第１の撮像素子及び第２の撮像素子の露光動作に対するストロボ装置のストロボ発光部による発光動作のタイミングを示すタイミングチャート。
【図４】本発明の一実施形態の電子カメラにおける第１の撮像素子及び第２の撮像素子の露光動作時におけるストロボ装置のストロボ発光部によるプリ発光動作のタイミングを示すタイミングチャート。
【符号の説明】
１……電子カメラ
１５……撮影レンズユニット
１６……第１ミラー（光束分割手段）
２３……ＡＥユニット
２６……ＡＦモータ（合焦駆動手段）
２７……メカシャッター
２８……第２の撮像素子（ＣＣＤ；光電変換素子）
３０……第２の撮像手段（静止画用）
３１……第２の撮像回路
３５……第２の圧縮伸長回路
３６……第２の記録再生回路（静止画用の第２の記録手段）
３８……第１の圧縮伸長回路
３９……第１の記録再生回路（動画用の第１の記録手段）
４０……第２の記録媒体
４１……第２の表示処理回路
４６……第１の撮像素子（ＣＣＤ；光電変換素子）
４７……第１の撮像回路
４８……第１の記録媒体
５１……第１の表示処理回路
５２……選択合成回路（表示制御手段）
５３……表示装置（画像表示手段）
５４……ＡＦユニット
５５……第１の撮像手段（動画用）
５８……パワーＳＷ
６０……再生モード切換ＳＷ
６１……制御回路（制御手段、合焦制御手段、記録制御手段）
６５……ファーストレリーズＳＷ（第２の記録操作手段）
６６……セカンドレリーズＳＷ（第２の記録操作手段）
６７……モードＳＷ
７３……光学ファインダーユニット
７４……動画像記録ＳＷ（第１の記録操作手段）
８４……ストロボ発光部（補助光発光部；補助光発光装置、ストロボ装置）
８５……ストロボ制御回路（補助光制御手段；補助光発光装置、ストロボ装置）
９２……電源電池
【図１】
0004285860.tif 000002
【図２】
0004285860.tif 000003
【図３】
0004285860.tif 000004
【図４】
0004285860.tif 000005